【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
加圧下で食物を調理するための器具（１）であって、
容器（２）、および、それと連携して圧力上昇に適している調理筐体を形成するように前記容器（２）に対してロックするための蓋（３）と、
前記蓋（３）のシェルおよび前記容器（２）のシェルにそれぞれ固定され、前記容器（２）に対して前記蓋（３）をロックするために互いに連携するためのものである第１および第２の一連の突出部（５Ａ〜５Ｊ、６Ａ〜６Ｊ）を形成するバヨネットロック手段と、を少なくとも備え、
前記一連の突出部のうち少なくとも１つの突出部（５Ａ〜５Ｊ）のそれぞれは、対応するシェルを通して形成されるそれぞれの開口部（７Ａ〜７Ｊ）に隣接することを特徴とする器具（１）。
【請求項２】
前記開口部は、前記開口部（７Ａ〜７Ｊ）に隣接する前記突出部（５Ａ〜５Ｊ）を画成することにも寄与する少なくとも１つの縁（７０Ａ）によって画成されることを特徴とする請求項１に記載の器具（１）。
【請求項３】
前記開口部の前記縁（７０Ａ〜７０Ｊ）は、他の一連の突出部のうちの突出部（６Ａ〜６Ｊ）が当接するようになる支持面を形成することを特徴とする請求項２に記載の器具（１）。
【請求項４】
前記開口部（７Ａ〜７Ｊ）に隣接する前記突出部（５Ａ〜５Ｊ）は、前記対応するシェルの変形された部分によって形成されることを特徴とする請求項１から請求項３のいずれか一項に記載の器具（１）。
【請求項５】
前記開口部は、前記開口部（７Ａ〜７Ｊ）に隣接する前記突出部（５Ａ〜５Ｊ）を画成することにも寄与する少なくとも１つの縁（７０Ａ）によって画成され、
前記開口部（７Ａ〜７Ｊ）の縁（７０Ａ〜７０Ｊ）は、変形された部分の一部を形成することを特徴とする請求項４に記載の器具（１）。
【請求項６】
前記変形された部分は、前記対応するシェルをダイスタンプ法で加工することによって得られることを特徴とする請求項４または請求項５に記載の器具（１）。
【請求項７】
前記開口部（７Ａ〜７Ｊ）に隣接する前記突出部（５Ａ〜５Ｊ）は、前記開口部（７Ａ〜７Ｊ）の前記縁（７０Ａ〜７０Ｊ）の一部を形成する周縁部によって画成される隆起部によって形成されることを特徴とする請求項２、請求項３、または請求項５に記載の器具（１）。
【請求項８】
前記周縁部は、前記対応するシェル上に局在し取り付けられている第１の部分と、他の一連の突出部のうちの突出部（６Ａ〜６Ｊ）が当接するようになる支持面を形成する自由な第２の部分と、を備えることを特徴とする請求項７に記載の器具（１）。
【請求項９】
前記自由な第２の部分は、実質的に水平の平面内に置かれることを特徴とする請求項８に記載の器具（１）。
【請求項１０】
前記開口部（７Ａ〜７Ｊ）に隣接する前記突出部（５Ａ〜５Ｊ）は、ランシングによって形成されることを特徴とする請求項１から請求項９のいずれか一項に記載の器具（１）。
【請求項１１】
前記開口部（７Ａ〜７Ｊ）に隣接する前記突出部（５Ａ〜５Ｊ）は、対向する凸面および凹面を示す容積要素によって形成されることを特徴とする請求項１から請求項１０のいずれか一項に記載の器具（１）。
【請求項１２】
前記開口部の前記縁は、２つの端部分の間に置かれる中心部分によって形成され、前記中心部分のみが、湾曲し、したがって前記開口部（７Ａ〜７Ｊ）に隣接する前記突出部（５Ａ〜５Ｊ）の一部を形成する輪郭をもたらすように径方向に変形され、前記端部分は前記突出部（５Ａ〜５Ｊ）の一部を形成しないことを特徴とする請求項２に記載の器具（１）。
【請求項１３】
前記開口部（７Ａ〜７Ｊ）のそれぞれに隣接する前記突出部は、前記蓋（３）の前記シェルに固定されている前記第１の一連の突出部のうちの前記突出部（５Ａ〜５Ｊ）を形成することを特徴とする請求項１から請求項１２のいずれか一項に記載の器具（１）。
【請求項１４】
前記蓋（３）の前記シェルは、円板形状のカバー要素（３Ａ）を、円板形状のカバー要素（３０Ａ）に固定された第１の円形縁（３０Ｂ）と自由な第２の円形縁（３１Ｂ）との間で延在する環状ベルト（３Ｂ）と一緒に備え、前記開口部（７Ａ〜７Ｊ）は、前記第１および前記第２の円形縁（３０Ｂ、３１Ｂ）から一定の距離にある前記ベルト（３Ｂ）内に配置されることを特徴とする請求項１３に記載の器具（１）。
【請求項１５】
前記第１の一連の突出部のうちの前記突出部（５Ａ〜５Ｊ）は、前記蓋（３）の内側に向かって径方向に突出することを特徴とする請求項１３または請求項１４に記載の器具（１）。
【請求項１６】
前記容器（２）は、底部（２Ａ）を、前記底部（２Ａ）と前記容器（２）の内側に通じる開口部を画成する自由な上縁（２Ｃ）との間で延在する環状の側壁（２Ｂ）と一緒に備え、前記第２の一連の突出部のうちの前記突出部（６Ａ〜６Ｊ）は、前記自由な上縁（２Ｃ）から外向きに突出する環状リム（６０）によって形成され、ノッチ（６１Ａ〜６１Ｊ）は、前記第１の一連の突出部のうちの前記突出部（５Ａ〜５Ｊ）を通すように、前記環状リム（６０）を通して形成されることを特徴とする請求項１３から請求項１５のいずれか一項に記載の器具（１）。
【請求項１７】
前記環状リム（６０）は、自由な上縁（２Ｃ）から実質的に外向き径方向に延在するカラーを、前記カラーに固定されている上縁（６００Ａ）と前記容器（２）に対して前記蓋（３）をロックするために前記第１の一連の突出部のうちの前記突出部（５Ａ〜５Ｊ）が当接するようになる自由な底部縁（６００Ｂ）との間で実質的に下方に延在するスカート部と一緒に備えることを特徴とする請求項１６に記載の器具（１）。
【請求項１８】
加圧下で食物を調理するための器具（１）を製造する方法であって、前記器具（１）は、
容器（２）、および、それと連携して圧力上昇に適している調理筐体を形成するように前記容器（２）に対してロックするための蓋（３）と、
前記蓋（３）のシェルおよび前記容器のシェルにそれぞれ固定され、前記容器（２）に対して前記蓋（３）をロックするために互いに連携するためのものである第１および第２の一連の突出部（５Ａ〜５Ｊ、６Ａ〜６Ｊ）を形成するバヨネットロック手段と、を少なくとも備え、
前記方法は、
前記シェルのうちの少なくとも１つを通して複数の開口部（７Ａ〜７Ｊ）を形成するステップと、
前記複数の開口部のうちのそれぞれの開口部にそれぞれ隣接する複数の突出部（５Ａ〜５Ｊ）を形成するステップであって、前記複数の突出部（５Ａ〜５Ｊ）は、前記第１および前記第２の一連の突出部のうちの少なくとも１つを形成する、ステップと、を含むことを特徴とする方法。
【請求項１９】
前記複数の突出部（５Ａ〜５Ｊ）を形成する前記ステップは、対応するシェルの局部的な径方向の変形によって前記突出部のそれぞれを形成する操作を含むことを特徴とする請求項１８に記載の方法。
【請求項２０】
前記シェルの前記局部的な径方向の変形は、前記シェルを構成する材料をダイスタンプ法で加工することによって実行されることを特徴とする請求項１９に記載の方法。
【請求項２１】
前記複数の開口部（７Ａ〜７Ｊ）を作る前記ステップは、前記複数の突出部（５Ａ〜５Ｊ）を形成する前記ステップの前に実行されることを特徴とする請求項１８から請求項２０のいずれか一項に記載の方法。
【請求項２２】
前記複数の開口部のうち開口部（７Ａ〜７Ｊ）のそれぞれは、少なくとも１つのそれぞれの縁（７０Ａ〜７０Ｊ）によって画成され、前記複数の突出部（５Ａ〜５Ｊ）を形成する前記ステップは、前記縁（７０Ａ〜７０Ｊ）のそれぞれが前記突出部（５Ａ〜５Ｊ）のうちの１つの一部を形成するように前記縁（７０Ａ〜７０Ｊ）のそれぞれを径方向に変形するステップを含むことを特徴とする請求項１８から請求項２１のいずれか一項に記載の方法。
【請求項２３】
前記複数の開口部（７Ａ〜７Ｊ）を作る前記ステップは、対応するシェルをレーザー切断する操作によって実行されることを特徴とする請求項１８から請求項２２のいずれか一項に記載の方法。
【手続補正２】
【補正対象書類名】明細書
【補正対象項目名】００４２
【補正方法】変更
【補正の内容】
【００４２】
図に示されているように、開口部７Ａ〜７Ｊは、好ましくは第１および第２の円形縁３０Ｂ、３１Ｂから一定の距離にある環状ベルト３Ｂ内に配置され、したがって、各開口部７Ａ〜７Ｊは、ベルト３Ｂを構成する材料とそれの全周に実質的に連続的に接する。したがって、各開口部７Ａ〜７Ｊを画成する縁は、有利には、たとえば単なるノッチの外側の開いている縁と対照的に、閉じた縁である。したがって、開口部７Ａ〜７Ｊのそれぞれは、蓋３の環状ベルト３Ｂの厚さを通して作られ、特に、材料を取り除くことによって得られる貫通窓を形成する。